(57)【要約】【課題】色調補正の機能を備えた表示処理装置において、画面の一部の視認性が向上するように色調補正を行った場合にも、色調補正の不要な部分の視認性低下を防止または軽減できるようにする。【解決手段】表示用データに対して色調補正を行う色調補正部１０１と、前記表示用データのうちの前記色調補正が不要な部分の位置を示す情報（補正取り消し位置情報）を出力する色調補正取り消し位置設定部１０３と、前記色調補正部によって色調補正された表示用データ対して、前記補正取り消し位置情報と対応した部分における色調補正を取り消す色調補正取り消し部１０２とを設ける。【選択図】図１
2006209082.tif 000002
【特許請求の範囲】
【請求項１】
表示用データに対して色調補正を行う色調補正部と、
前記表示用データのうちの前記色調補正が不要な部分の位置を示す情報である補正取り消し位置情報を出力する色調補正取り消し位置設定部と、
前記色調補正部によって色調補正された表示用データ対して、前記補正取り消し位置情報と対応した部分における色調補正を取り消す色調補正取り消し部と、
を備えたことを特徴とする表示処理装置。
【請求項２】
複数レイヤにわたる表示用データが入力され、入力された各レイヤの透過率を所定の透過率になるように半透過処理をする半透過処理部と、
前記半透過処理部で半透過処理された各レイヤの表示用データを重ね合わせて新たな表示用データを生成する合成部と、
前記新たな表示用データに対して色調補正を行う色調補正部と、
前記新たな表示用データのうちの前記色調補正が不要な部分の位置を示す情報である補正取り消し位置情報を出力する補正位置制御部と、
前記補正取り消し位置情報と対応した部分における色調補正の効果を軽減するデータからなる色調補正軽減用レイヤのデータを前記半透過処理部に出力する色調補正軽減用レイヤ生成部と、
を備えたことを特徴とする表示処理装置。
【請求項３】
請求項２の表示処理装置であって、
前記色調補正軽減用レイヤ生成部は、黒色のデータからなる色調補正軽減用レイヤと白色のデータからなる色調補正軽減用レイヤの何れかのデータを選択して、前記半透過処理部に出力するように構成されていることを特徴とする表示処理装置。
【請求項４】
請求項２の表示処理装置であって、
前記色調補正部は、表示されたデータの視認性を変化させるための所定の補正パラメータの値を変更することによって前記色調補正を行うとともに、前記補正パラメータを前記半透過処理部に出力するように構成され、
前記半透過処理部は、前記色調補正部が出力した前記補正パラメータに応じて、前記透過率を決定するように構成されていることを特徴とする表示処理装置。
【請求項５】
請求項２の表示処理装置であって、
さらに、前記色調補正部で行われる色調補正に応じて、赤緑青の３原色を組み合わせて前記色調補正軽減用レイヤの色を決定するレイヤ色制御部を備え、
前記色調補正軽減用レイヤ生成部は、前記レイヤ色制御部が決定した色の色調補正軽減用レイヤを生成するように構成されていることを特徴とする表示処理装置。
【請求項６】
請求項１および請求項２のうちの何れか１項の表示処理装置であって、
前記表示用データは、動画データであり、
前記色調補正部は、一定の時間間隔で色調補正を行うように構成されていることを特徴とする表示処理装置。
【請求項７】
請求項１および請求項２のうちの何れか１項の表示処理装置であって、
前記表示用データは、動画データであり、
前記色調補正部は、最終的な補正状態となるまで、段階的に色調補正を行うように構成されていることを特徴とする表示処理装置。
【請求項８】
請求項２の表示処理装置であって、
前記合成部は、前記色調補正部の色調補正と同期して、前記重ね合わせを行うように構成されていることを特徴とする表示処理装置。
【請求項９】
複数レイヤにわたる表示用データが入力され、レイヤごとに色調を制御でき、入力されたレイヤをそのまま、または色調を制御して出力する色調補正部と、
前記色調補正部が出力した各レイヤの表示用データを重ね合わせて新たな表示用データを生成する合成部と、
を備えたことを特徴とする表示処理装置。
【請求項１０】
１つの画面内に複数の表示領域を設けて各表示領域に画像を表示する表示処理装置であって、
前記複数の表示領域のうちの一部の領域に対して、色調補正を行う色調補正部を備えたことを特徴とする表示処理装置。
【発明の詳細な説明】
【技術分野】
【０００１】
本発明は、表示データの視認性を向上する色調補正機能を備えた表示処理装置に関するものである。
【背景技術】
【０００２】
表示用データをディスプレイなどに出力する表示処理装置には、表示内容が認識しにくい場合等に視認性を向上させるために色調を補正する機構（色調補正機能）を備えたものがある。
【０００３】
従来の色調補正機能を備えた表示処理装置としては、表示する画面全体に対して色調補正を行うように構成されたもの（図６を参照）が知られており、具体的に製品化されたものも公開されている（例えば、非特許文献１を参照）。
【０００４】
例えば、図６に示す表示処理装置は、カメラ映像入力部６０２やグラフィック出力部６０３やその他の映像データソースから出力された表示用データが画質補正部６００に入力される。画質補正部６００は、ＣＰＵ６０１によって色調補正のためのパラメータが設定され、設定されたパラメータに応じ、画面全体に対して色調補正を行ってディスプレイ６０４に出力する。このようにして、従来の表示処理装置では、例えば表示されている画面全体が暗く、表示されている物体が認識しにくい場合などには、画面全体に対して色調補正を行い、画面全体に対して色調を明るく補正することによって視認性が向上する。
【非特許文献１】株式会社ジェピコ社ＡＰ事業推進部映像メディアグループ  FPD Interface LSI for UXGA j-L0011［平成１６年１２月１５日検索］、インターネット＜URL:http://www.jepico.co.jp/product/ap/japanese/lsi/west.html＞
【発明の開示】
【発明が解決しようとする課題】
【０００５】
しかし、従来の色調補正機能を備えた表示処理装置をマルチウィンドウ表示が必要なシステム等に適用した場合には、１つのウインドウに対してのみ色調補正を行いたい場合にも、画面全体に色調補正が行われてしまい、色調補正が不要な他のウインドウが色調補正の影響で逆に視認性の低下を招くという問題が発生していた。
【０００６】
本発明は、前記の問題に着目してなされたものであり、色調補正の機能を備えた表示処理装置において、画面の一部の視認性が向上するように色調補正を行った場合にも、色調補正の不要な部分の視認性低下を防止または軽減することを目的としている。
【課題を解決するための手段】
【０００７】
前記の課題を解決するため、請求項１の発明は、
表示用データに対して色調補正を行う色調補正部と、
前記表示用データのうちの前記色調補正が不要な部分の位置を示す情報である補正取り消し位置情報を出力する色調補正取り消し位置設定部と、
前記色調補正部によって色調補正された表示用データ対して、前記補正取り消し位置情報と対応した部分における色調補正を取り消す色調補正取り消し部と、
を備えたことを特徴とする。
【０００８】
これにより、表示画面上の一部のみに色調補正が必要な場合に、色調補正が不要な箇所の色調補正が取り消されるので、色調補正が不要な箇所における視認性低下の防止が可能になる。
【０００９】
また、請求項２の発明は、
複数レイヤにわたる表示用データが入力され、入力された各レイヤの透過率を所定の透過率になるように半透過処理をする半透過処理部と、
前記半透過処理部で半透過処理された各レイヤの表示用データを重ね合わせて新たな表示用データを生成する合成部と、
前記新たな表示用データに対して色調補正を行う色調補正部と、
前記新たな表示用データのうちの前記色調補正が不要な部分の位置を示す情報である補正取り消し位置情報を出力する補正位置制御部と、
前記補正取り消し位置情報と対応した部分における色調補正の効果を軽減するデータからなる色調補正軽減用レイヤのデータを前記半透過処理部に出力する色調補正軽減用レイヤ生成部と、
を備えたことを特徴とする。
【００１０】
これにより、色調補正の効果を軽減する色調補正軽減用レイヤが合成されるので、表示画面上の一部のみに色調補正が必要な場合に、色調補正が不要な箇所における視認性の低下を軽減することが可能になる。
【００１１】
また、請求項３の発明は、
請求項２の表示処理装置であって、
前記色調補正軽減用レイヤ生成部は、黒色のデータからなる色調補正軽減用レイヤと白色のデータからなる色調補正軽減用レイヤの何れかのデータを選択して、前記半透過処理部に出力するように構成されていることを特徴とする。
【００１２】
これにより、色調補正として特に輝度変換が表示画面上の一部のみに対して必要な場合に、輝度変換が不要な箇所における輝度の変化を軽減することが可能になる。
【００１３】
また、請求項４の発明は、
請求項２の表示処理装置であって、
前記色調補正部は、表示されたデータの視認性を変化させるための所定の補正パラメータの値を変更することによって前記色調補正を行うとともに、前記補正パラメータを前記半透過処理部に出力するように構成され、
前記半透過処理部は、前記色調補正部が出力した前記補正パラメータに応じて、前記透過率を決定するように構成されていることを特徴とする。
【００１４】
これにより、色調補正に用いた補正パラメータで透過率が制御されるので、例えば表示画面上の一部に対して動的に色調変化の効果を制御する場合に、色調補正が不要な箇所に対しても、動的にその効果を軽減することが可能になる。
【００１５】
また、請求項５の発明は、
請求項２の表示処理装置であって、
さらに、前記色調補正部で行われる色調補正に応じて、赤緑青の３原色を組み合わせて前記色調補正軽減用レイヤの色を決定するレイヤ色制御部を備え、
前記色調補正軽減用レイヤ生成部は、前記レイヤ色制御部が決定した色の色調補正軽減用レイヤを生成するように構成されていることを特徴とする。
【００１６】
これにより、光の三原色である赤、緑、青に対してそれぞれ独立に色調補正が制御される場合に、その色調補正に応じた色の色調補正軽減用レイヤを生成できる。
【００１７】
また、請求項６の発明は、
請求項１および請求項２のうちの何れか１項の表示処理装置であって、
前記表示用データは、動画データであり、
前記色調補正部は、一定の時間間隔で色調補正を行うように構成されていることを特徴とする。
【００１８】
これにより、色調補正が所定の時間間隔で行われる。それゆえ、例えば色調補正を行う画面上の一部が非常に短い間隔で明るさなどが変化する場合などに、色調補正が不要な箇所で発生するちらつきを軽減することが可能になる。
【００１９】
また、請求項７の発明は、
請求項１および請求項２のうちの何れか１項の表示処理装置であって、
前記表示用データは、動画データであり、
前記色調補正部は、最終的な補正状態となるまで、段階的に色調補正を行うように構成されていることを特徴とする。
【００２０】
これにより、色調の変更が段階的に制御されるので、色調補正の前後で大きく差がある場合に、急激に明るさなどが変化するのを緩和することが可能になる。
【００２１】
また、請求項８の発明は、
請求項２の表示処理装置であって、
前記合成部は、前記色調補正部の色調補正と同期して、前記重ね合わせを行うように構成されていることを特徴とする。
【００２２】
これにより、色調補正処理と同期して色調補正軽減が行われる。すなわち、色調補正が不要な箇所に対して、適時色調補正の軽減を行って、視認性の低下を軽減することが可能になる。
【００２３】
また、請求項９の発明は、
複数レイヤにわたる表示用データが入力され、レイヤごとに色調を制御でき、入力されたレイヤをそのまま、または色調を制御して出力する色調補正部と、
前記色調補正部が出力した各レイヤの表示用データを重ね合わせて新たな表示用データを生成する合成部と、
を備えたことを特徴とする。
【００２４】
これにより、複数レイヤを合成して表示する前に、レイヤ毎に最適な色調補正処理が行われる。それゆえ、画面上の各所に対して最適な色調補正を行うことが可能になる。
【００２５】
また、請求項１０の発明は、
１つの画面内に複数の表示領域を設けて各表示領域に画像を表示する表示処理装置であって、
前記複数の表示領域のうちの一部の領域に対して、色調補正を行う色調補正部を備えたことを特徴とする。
【発明の効果】
【００２６】
本発明によれば、画面の一部の視認性を向上させるように色調補正を行った場合にも、色調補正の不要な部分の視認性低下を防止または軽減できる。
【発明を実施するための最良の形態】
【００２７】
以下、本発明の実施形態について図面を参照しながら説明する。
【００２８】
《発明の実施形態１》
図１は、本発明の実施形態１に係る表示処理装置１００の構成を示すブロック図である。同図に示すように表示処理装置１００は、色調補正部１０１、色調補正取り消し部１０２、色調補正取り消し位置設定部１０３、および表示用データ格納部１０４を備えて構成され、ディスプレイ１０５と接続されている。
【００２９】
表示用データ格納部１０４は、表示用のデータを格納するようになっている。
【００３０】
色調補正部１０１は、表示用データ格納部１０４に格納されているデータを読み出し、所定のパラメータを変更することによって、読み出したデータに対して色調補正を行うようになっている。具体的には、例えば、映像が暗い場合には、表示用データを明るくする輝度補正を行う。色調補正に使用するパラメータとしては、例えばガンマ値や輝度や赤緑青の三原色（ＲＧＢ）のベース値などが上げられる。
【００３１】
色調補正取り消し位置設定部１０３は、色調補正が不要な部分の位置を示す情報（補正取り消し位置情報）を管理し、前記補正取り消し位置情報を色調補正取り消し部１０２に出力するようになっている。前記補正取り消し位置情報は、例えば、色調補正を行いたくない箇所の座標値や色調補正したくないウインドウをユーザが指定したりすることによって得ることができる。また、例えばカメラから入力された映像が表示されている箇所以外の範囲を特定する座標値（あるいはカメラから入力された映像が表示されている箇所を特定する座標値）を予めレジスタに格納するようにしておいてもよい。この場合、レジスタに格納する座標値は、外部のＣＰＵ等によって設定してもよいし、固定的に定められた座標値でもよい。
【００３２】
色調補正取り消し部１０２は、色調補正部１０１から色調補正に使用したパラメータと色調補正された表示用データとを受け取るとともに、色調補正取り消し位置設定部１０３から受け取った補正取り消し位置情報によって示される位置に対応した表示用データに対して色調補正を取り消すようになっている。
【００３３】
次に、表示処理装置１００の動作について説明する。例えば、表示画面の一部にカメラで撮影している映像を取り込んで表示する場合、すなわち表示用データ格納部１０４にある表示用データの一部にカメラで撮影された映像データが含まれている場合を考える。
【００３４】
まず、色調補正部１０１は、表示用データ格納部１０４に格納されているデータを読み出す。ここで、例えばカメラで撮影された映像が暗い夜間における映像等の視認性の低い映像である場合には、色調補正部１０１は、読み出したデータに対して色調補正を行う。具体的には、視認性を向上するために、例えば表示用データの全体を明るくする輝度補正を行う。
【００３５】
色調補正取り消し位置設定部１０３は、前記補正取り消し位置情報を色調補正取り消し部１０２に出力する。これにより、色調補正取り消し部１０２は、色調補正部１０１の出力したデータ（色調補正された表示用データ）のうち前記補正取り消し位置情報に対応した部分（色調補正したくない部分）の色調補正を取り消す。
【００３６】
色調補正部１０１は、表示用データ全体（すなわち画面全体）に対して色調補正を行うので、例えば、色調補正部１０１の出力をそのままディスプレイ１０５に出力すれば、カメラで撮影した映像以外の部分（色調補正が不要な部分）では、輝度が明るくなりすぎて、逆に視認性が低下し、見づらい画面になってしまう。しかし、表示処理装置１００では、色調補正が不要な部分の色調補正を取り消すので、カメラで撮影した映像以外の部分は視認しやすい輝度になり、画面全体として視認性が確保される。
【００３７】
上記のように本実施形態によれば、画面の一部の視認性を向上させるように色調補正を行った場合にも、色調補正の不要な部分の視認性を低下させることがない。
【００３８】
《発明の実施形態２》
図２は、本発明の実施形態２に係る表示処理装置２００の構成を示すブロック図である。表示処理装置２００は、同図に示すように、色調補正部２０１、レイヤ合成部２０２、表示用データ格納部２０４、色調補正軽減用レイヤ生成部２１３、透過率制御部２１４、およびレイヤ色制御部２１５を備え、ディスプレイ２０５と接続されている。
【００３９】
表示用データ格納部２０４は、複数レイヤの表示データを格納するようになっている。
【００４０】
レイヤ合成部２０２は、合成部２１１と半透過処理部２１２とを備え、複数のレイヤの重ね合わせ処理を行うようになっている。半透過処理部２１２は、透過率制御部２１４が求めた透過率（後述）となるように、複数のレイヤに対して半透過処理を行うようになっている。合成部２１１は、半透過処理部２１２で半透過処理が行われた複数レイヤの重ね合わせ処理を行うようになっている。
【００４１】
色調補正部２０１は、補正処理部２０６、色調補正値制御部２０７、色調補正設定部２０８、補正タイミング制御部２０９、および補正位置制御部２１０を備え、画面の色調補正を行うようになっている。
【００４２】
補正位置制御部２１０は、色調補正を行うべき画面上の位置を示す情報を色調補正値制御部２０７に出力するようになっている。
【００４３】
色調補正値制御部２０７は、補正位置制御部２１０に指示された位置に対応するデータを表示用データ格納部２０４から読み出すとともに、色調補正パラメータの算出タイミングを示すタイミング制御信号を補正タイミング制御部２０９より受け取り、読み出したデータを基に、その算出タイミングで色調補正パラメータを算出し、色調補正設定部２０８に出力するようになっている。
【００４４】
色調補正値制御部２０７における色調補正パラメータの算出方法としては、例えば輝度が一部分に偏った分布になっている場合には平坦化したり、輝度分布をガウス分布と乗ずるような算術式に当てはめて一意に算出したりする方法などを採用できる。何れの算出方法を採用するかは、表示処理装置２００の用途や映像、その他カメラ等の接続機器に応じて選択すればよい。
【００４５】
色調補正値制御部２０７による色調補正パラメータの設定は、算出した色調補正パラメータそのものを色調補正設定部２０８に出力するようにしてもよいし、色調補正パラメータを現在の値から、色調補正値制御部２０７に与えられた新しい値へと段階的に変更して、色調補正設定部２０８に出力するようにしてもよい。
【００４６】
色調補正設定部２０８は、色調補正パラメータの算出タイミングを示すタイミング制御信号を補正タイミング制御部２０９より受け取り、その算出タイミングで色調補正パラメータを補正処理部２０６に設定するようになっている。詳しくは、色調補正設定部２０８は、色調補正値制御部２０７から算出した色調補正パラメータそのものが与えられる場合には、現在の色調補正パラメータ値から段階的に変更して補正処理部２０６に設定するように構成し、色調補正値制御部２０７から段階的に色調補正パラメータが更新されて与えられる場合には、与えられた色調補正パラメータをそのまま補正処理部２０６に設定するように構成する。これにより、色調補正が段階的に行われることになる。
【００４７】
なお、補正処理部２０６に対する色調補正パラメータの設定は、必ずしも表示用データの１フレーム毎に行う必要はなく、装置の用途などに応じて、例えば数フレーム毎（すなわち一定の時間間隔毎）に行うようにしてもよい。
【００４８】
補正タイミング制御部２０９は、前記タイミング制御信号を出力することによって、色調補正値制御部２０７が色調補正パラメータを算出するタイミング、および色調補正設定部２０８におけるパラメータ設定タイミングを制御するようになっている。このタイミングは、画面の更新レートや用途によって異なるが、一意に１秒間隔や３０フレーム毎のように決めてしまってもよい。
【００４９】
補正処理部２０６は、色調補正設定部２０８によって設定された色調補正パラメータに基づいて、色調補正処理を行うようになっている。
【００５０】
レイヤ色制御部２１５は、色調補正設定部２０８が出力した色調補正パラメータに基づいて、色調補正軽減用レイヤ（後述）の色を設定するようになっている。ここで、色調補正軽減用レイヤとは、画面の色調補正したくない部分に対する色調補正の効果を軽減するために重ね合わせるレイヤである。
【００５１】
レイヤ色制御部２１５が色調補正軽減用レイヤの色を決定するには、例えば赤色に対してのみ色調補正を行う場合には赤色の合成色を設定し、例えば、赤以外の緑色と青色に対してのみ色調補正を行う場合はそれぞれ緑色、青色の合成色を設定する。すなわち、赤緑青の３原色を組み合わせて色調補正軽減用レイヤの色を決定する。また、色調補正が輝度補正の場合には、明るくする方向への輝度補正では黒色を設定し、逆に暗くする補正では白色を設定する。
【００５２】
このほか、色調補正の効果が最低限になるように、補正後のある色（例えば赤色）が、補正前の色（例えば桃色）と比較し、決められた誤差以内になるような変換を行うなど、他の方法も考えられる。
【００５３】
色調補正軽減用レイヤ生成部２１３は、レイヤ色制御部２１５が設定した色に基づいて、色調補正軽減用レイヤを生成するようになっている。色調補正軽減用レイヤ生成部２１３が生成する色調補正軽減用レイヤの形状は、具体的には例えば図４に示す形状が考えられる。図４において４００および４０３は色調補正軽減レイヤを示している。また、４０１は色調補正を行わないレイヤ、４０２は色調補正を行うレイヤを示している。
【００５４】
図４の左側に示す色調補正軽減用レイヤは、色調補正を行いたいレイヤの部分だけが切りぬかれた形状を有している。また、図４の右側に示すように、色調補正を行いたいレイヤ（１枚でも複数枚でも良い）と、色調補正を行いたくないレイヤ（１枚でも複数枚でも良い）の間に、色調補正軽減用レイヤを割り当てる場合には、色調補正を行いたくないレイヤと同じ形状の色調補正軽減用レイヤを用いる。
【００５５】
透過率制御部２１４は、色調補正設定部２０８が出力した色調補正パラメータに基づいて、色調補正軽減用レイヤをレイヤ合成部２０２で重ね合わせ処理を行う場合の、色調補正軽減用レイヤの透過率を決定し、決定した透過率を示す情報を半透過処理部２１２に出力するようになっている。
【００５６】
透過率制御部２１４における透過率の決定方法は、例えば、ある基準色（例えば赤色）が補正後に何色になるかで色調補正による色の変化をレベル分けし、例えば変化が少ないレベルであれば透過率９０パーセント、変化が大きいレベルであれば透過率５０パーセントと一意に決める方法が考えられる。また、透過率を色の変化レベルによって一意に決定するのではなく、例えばガンマ補正の様にガンマ値を１にするための値を算出してもよい。ただし、ディスプレイによってガンマ値の最適値は異なるので、目標とするガンマ値は１に限らない。
【００５７】
次に、表示処理装置２００の動作について説明する。例えば、一つのレイヤ、または表示画面の一部にカメラで撮影している映像を取り込んで表示する場合、すなわち表示用データ格納部２０４にある表示用データの一部にカメラで撮影された映像データが含まれている場合を考える。カメラで撮影された映像データが夜間における映像である場合等、視認性が低い映像である場合には、視認性を向上するために、カメラ映像に対して最適な色調補正、すなわちこの場合は表示用データを明るくするような輝度補正を実施して、映像を見やすくする必要がある。
【００５８】
まず、補正位置制御部２１０は、色調補正を行うべき画面上の位置を示す情報を色調補正値制御部２０７に出力する。色調補正値制御部２０７は、補正位置制御部２１０が出力した情報に基づいて、一つのレイヤ、または画面の一部に取り込まれたカメラ映像に関する表示用データを表示用データ格納部２０４から読み出す。そして、その表示用データに基づいてその部分に最適な色調補正パラメータを算出して色調補正設定部２０８に出力する。色調補正値制御部２０７が色調補正パラメータを算出するタイミングは、補正タイミング制御部２０９から指示されタイミングである。
【００５９】
色調補正設定部２０８は、補正タイミング制御部２０９から通知された色調補正パラメータ算出タイミングに応じて、色調補正値制御部２０７が算出した色調補正パラメータを、現状の色調補正パラメータから段階的に複数回に分けて、補正処理部２０６へ設定する。
【００６０】
一方、レイヤ色制御部２１５は、色調補正設定部２０８が出力した色調補正パラメータを受け、色調補正軽減用レイヤ生成部２１３で生成するための色調補正軽減用レイヤの色を決定する。これにより、色調補正軽減用レイヤ生成部２１３は、レイヤ色制御部２１５が決定した色の色調補正軽減用レイヤを生成する。また、透過率制御部２１４は、色調補正軽減用レイヤの透過率を決定し、その情報を半透過処理部２１２に出力する。
【００６１】
半透過処理部２１２は、表示用データ格納部２０４から読み込んだ複数レイヤと、色調補正軽減用レイヤ生成部２１３が生成した色調補正軽減用レイヤとのそれぞれに対して半透過処理を行う。合成部２１１は、半透過処理部２１２で半透過処理された各レイヤを合成し、補正処理部２０６に出力する。補正処理部２０６は、色調補正設定部２０８に設定された色調補正パラメータに基づいて色調補正処理を行う。
【００６２】
以上のように、色調補正の効果を軽減する色調補正軽減用レイヤが元の映像のレイヤと合成されるので、合成して得られた表示用データに対して色調補正を行っても、色調補正の不要な部分の視認性低下を軽減することが可能となる。
【００６３】
また、色調補正の時間的間隔を装置の用途などに応じて設定したり、色調補正パラメータを段階的に徐々に変化させたりすることによって、急激に画面の明るさなどが変化することがなくなる。
【００６４】
また、色調補正パラメータを基に色調補正軽減用レイヤの色や透過率を決定するので、色調補正を行わない箇所に対しても、その軽減処理を色調補正処理と同期して行え、適正なタイミングで色調補正軽減を行うことが可能である。
【００６５】
《発明の実施形態３》
図３は、本発明の実施形態３に係る表示処理装置３００の構成を示すブロック図である。表示処理装置３００は、同図に示すように、色調補正部３０１、レイヤ合成部３０２、表示用データ格納部３０３、色調補正軽減用白色レイヤ３０４、および色調補正軽減用黒色レイヤ３０５を備え、ディスプレイ３０９と接続されている。
【００６６】
表示用データ格納部３０３は、複数レイヤにわたる表示データを格納するようになっている。
【００６７】
色調補正軽減用白色レイヤ３０４は、白色に設定されたレイヤのデータを格納するようになっている。
【００６８】
色調補正軽減用黒色レイヤ３０５は、黒色に設定されたレイヤのデータを格納するようになっている。
【００６９】
色調補正部３０１は、入力された映像データに対して色調補正を行うとともに、色調補正が輝度を高くする補正であるか輝度を低くする補正であるかを示す情報をレイヤ切替部３０７に出力するようになっている。
【００７０】
レイヤ合成部３０２は、半透過処理部３０６、レイヤ切替部３０７、および合成部３０８を備え、複数のレイヤの重ね合せ処理を行うようになっている。
【００７１】
レイヤ切替部３０７は、色調補正軽減用白色レイヤ３０４のデータおよび色調補正軽減用黒色レイヤ３０５のデータの何れかを選択して半透過処理部３０６に出力するようになっている。具体的には、レイヤ切替部３０７は、色調補正部３０１の色調補正が、輝度を高くする補正であれば色調補正軽減用黒色レイヤを選択し、逆に輝度を低くする補正であれば色調補正軽減用白色レイヤを選択する。
【００７２】
半透過処理部３０６は、表示用データ格納部３０３から読み込んだレイヤ（表示用データ）とレイヤ切替部３０７を介して入力されたレイヤとが所定の透過率となるように、複数のレイヤに対して半透過処理を行うようになっている。
【００７３】
合成部３０８は、半透過処理部３０６で半透過処理が行われた複数レイヤの重ね合わせ処理を行うようになっている。
【００７４】
上記の表示処理装置３００では、色調補正が明るい方向への補正であっても、暗い方向への補正であっても色調補正軽減用レイヤの色を色調補正の方向に応じて切り替えることができるので、色調補正の不要な部分の視認性低下を軽減することが可能となる。
【００７５】
《発明の実施形態４》
図５は、本発明の実施形態４に係る表示処理装置５００の構成を示すブロック図である。表示処理装置５００は、マルチレイヤ表示を必要とする表示処理装置の例である。表示処理装置５００は、図５に示すように、色調補正部５０１、レイヤ合成部５０２、および表示用データ格納部５０３を備え、ディスプレイ５０４と接続されている。
【００７６】
表示用データ格納部５０３は、複数レイヤにわたる表示データを格納するようになっている。
【００７７】
色調補正部５０１は、補正処理部５０５とレイヤ別色調補正値制御部５０６とを備え、表示用データ格納部５０３にあるデータを読み出すとともに、色調補正を行うようになっている。
【００７８】
レイヤ別色調補正値制御部５０６は、表示に必要なレイヤ毎に最適な色調補正を行うための色調補正パラメータを算出し、レイヤごとの色調補正を制御するようになっている。
【００７９】
補正処理部５０５は、レイヤ別色調補正値制御部５０６が算出した各レイヤの色調補正パラメータに応じて、レイヤ毎に色調補正を行うようになっている。ここで、補正処理部５０５は、現在の表示状態が変化しないような色調補正パラメータが与えられた場合に、現在のレイヤのデータをそのまま出力するように構成してもよいし、与えられたパラメータの通りに色調補正（実際には色調は変化しない）を行って出力するように構成してもよい。
【００８０】
レイヤ合成部５０２は、表示に必要な複数レイヤの重ね合せ処理を行うようになっている。
【００８１】
上記の表示処理装置５００では、例えばグラフィックとカメラ入力といった、全く異なる画面を別個のレイヤに割り当てて、レイヤ毎に独立で色調補正を行うことができる。それゆえ、色調補正が不要な箇所へ影響を及ぼさないように、画面の一部（この場合は１レイヤ）に最適な色調補正を行うことができる。すなわち、カメラの画像を含んだレイヤの視認性がよくない場合などに、そのレイヤのみを最適な色調に補正できる。
【００８２】
なお、実施形態２においては、レイヤ色制御部２１５で設定される色が予め何色かの候補から決定される場合には、例えば図３に示す表示処理装置３００のように、これらの候補に対応した複数のレイヤを予め用意しておき、これらのレイヤなかから選択するようにしてもよい。
【００８３】
また、色調補正は必ずしも一定の時間間隔で行う必要はなく、例えばカメラなどから入力された表示用データの輝度が所定の閾値を越えた際に行うようにしてもよい。
【００８４】
また、色調補正に使用するパラメータとして説明したガンマ値、輝度、ＲＧＢのベース値は例示であり、画面の視認性を変化させるパラメータであればこれらには限定されない。
【産業上の利用可能性】
【００８５】
本発明に係る表示処理装置は、画面の一部の視認性を向上させるように色調補正を行った場合にも、色調補正の不要な部分の視認性低下を防止または軽減できるという効果を有し、表示データの視認性を向上する色調補正機能を備えた表示処理装置等として有用である。
【図面の簡単な説明】
【００８６】
【図１】実施形態１に係る表示処理装置の構成を示すブロック図である。
【図２】実施形態２に係る表示処理装置の構成を示すブロック図である。
【図３】実施形態３に係る表示処理装置の構成を示すブロック図である。
【図４】色調補正軽減用レイヤの形状例を示す図である。
【図５】実施形態４に係る表示処理装置の構成を示すブロック図である。
【図６】従来の色調補正機能を備えた表示処理装置の構成を示すブロック図である。
【符号の説明】
【００８７】
１００      表示処理装置
１０１      色調補正部
１０２      色調補正取り消し部
１０３      色調補正取り消し位置設定部
１０４      表示用データ格納部
１０５      ディスプレイ
２００      表示処理装置
２０１      色調補正部
２０２      レイヤ合成部
２０４      表示用データ格納部
２０５      ディスプレイ
２０６      補正処理部
２０７      色調補正値制御部
２０８      色調補正設定部
２０９      補正タイミング制御部
２１０      補正位置制御部
２１１      合成部
２１２      半透過処理部
２１３      色調補正軽減用レイヤ生成部
２１４      透過率制御部
２１５      レイヤ色制御部
３００      表示処理装置
３０１      色調補正部
３０２      レイヤ合成部
３０３      表示用データ格納部
３０４      色調補正軽減用白色レイヤ
３０５      色調補正軽減用黒色レイヤ
３０６      半透過処理部
３０７      レイヤ切替部
３０８      合成部
３０９      ディスプレイ
５００      表示処理装置
５０１      色調補正部
５０２      レイヤ合成部
５０３      表示用データ格納部
５０４      ディスプレイ
５０５      補正処理部
５０６      レイヤ別色調補正値制御部
６００      画質補正部
６０１      ＣＰＵ
６０２      カメラ映像入力部
６０３      グラフィック出力部
【図１】
2006209082.tif 000003
【図２】
2006209082.tif 000004
【図３】
2006209082.tif 000005
【図４】
2006209082.tif 000006
【図５】
2006209082.tif 000007
【図６】
2006209082.tif 000008